(57)【特許請求の範囲】
【請求項１】
一端が開放された筐体と該筐体の開放部を開閉する蓋体とからなり、電池を収納する電池収納室を内部に構成する開閉自由なケース本体と、前記筐体の内側に装着されて電池収納室内に収納された電池の正極に接続される正極端子板と、前記筐体の閉塞端部内側に装着されて電池の負極に接続される負極端子バネと、前記電池収納室内において、前記正極端子板及び負極端子バネにそれぞれ接続されて、前記ケース本体外面部から外方に臨まされる一対の接点部と、を含んで構成されるバッテリーケースであって、
前記蓋体は、内周面の周方向に沿った所定間隔毎の複数位置に係合突起部を有すると共に、前記正極端子板が固定された外蓋部と、該外蓋部の内側で前記正極端子板の固定位置下側にて所定角度範囲を回動自由となるように装着され、蓋体を開閉するためのヒンジ部の回動部が外周端に形成された内蓋部とから構成され、
前記筐体の開放部の外端には前記ヒンジ部の回動部を回動自由に支持する回動支持部が形成される一方、その内部には、その開放部から一部が外方に突出するように配設され、該突出部分の外周面の周方向に沿った所定間隔毎の複数位置に傾斜した溝部が形成される略筒状部材が装着され、
前記略筒状部材の溝部形成側端部は、その一部に切除部が形成されて、その径が収縮するべく弾性変形可能に構成されると共に、該略筒状部材の溝部は、略筒状部材の突出部分の先端部における始端部が開放され、一つの溝部の終端部の手前部分に凸部が形成された構成であって、始端部から挿入された前記外蓋部の各係合突起部が該外蓋部の回動によって各溝部の終端部までスライド移動し、一つの係合突起部が前記一つの溝部終端部の凸部を乗り越えることで、該凸部に係合して前記蓋体のロックを行う構成とされたことを特徴とするバッテリーケース。
【請求項２】
前記外蓋部内端面には、周方向に沿った所定間隔毎の複数位置に突起部を有し、内蓋部には周方向に沿った所定間隔毎の複数位置に前記突起部がスライド自由に挿入支持される円弧状の溝部が形成され、外蓋部の内側で内蓋部が所定角度範囲を回動自由となることを特徴とする請求項１記載のバッテリーケース。
【請求項３】
前記正極端子板は、前記内蓋部の溝部から突出する外蓋部の突起部が嵌め込まれる孔を有する略円形のベース部と、該ベース部から傾斜して立ち上げられて、電池の正極に接続される接続片部と、から構成されることを特徴とする請求項１又は２記載のバッテリーケース。
【請求項４】
前記ベース部における接続片部の立ち上げ部の両側に切溝が形成されていることを特徴とする請求項３記載のバッテリーケース。
【請求項５】
前記接続片部には、両端部に該接続片部の係合部が形成され、中央部に陥凹部が形成された非導電性材料からなるアダプタが装着され、該アダプタの陥凹部から接続片部の電池の正極に接続される部分が露出することを特徴とする請求項３又は４記載のバッテリーケース。
【請求項６】
前記外蓋部の係合突起部の先端部内側の面に勾配が設けられていることを特徴とする請求項１〜５のうちいずれか１つに記載のバッテリーケース。
【請求項７】
前記正極端子板に接続される接点部は、一端部に正極端子板に接続される接続部を有し、筐体内側に該筐体内面に沿って配設され固定される略短冊状の第１の正極接点部材と、筐体の外周面に外方に拡張形成された収納溝に収納配置され、一端部が該第１の正極接点部材に接触され、他端部が前記収納溝から筐体外方に臨まされる第２の正極接点部材と、から構成される一方、
前記負極端子バネに接続される接点部は、一端部に負極端子バネに接続される接続部を有し、筐体内側に該筐体内面に沿って配設され固定される略短冊状の第１の負極接点部材と、前記収納室に収納配置され、一端部が該第１の負極接点部材に接触され、他端部が前記収納溝から筐体外方に臨まされる第２の負極接点部材と、から構成されることを特徴とする請求項１〜６のうちいずれか１つに記載のバッテリーケース。
【請求項８】
前記第２の正極接点部材と第２の負極接点部材は、それぞれ略Ｓ字形状に屈曲形成されてバネ性が付与された構成であることを特徴とする請求項７記載のバッテリーケース。
【請求項９】
前記略筒状部材は、突出部分と反対側端部に筐体内部に該筐体の軸線方向に沿って延び、筐体内部の前記第１の正極接点部材と第２の負極接点部材をカバーするカバー部を有し、該カバー部の第１の正極接点部材と第２の負極接点部材に対面する面に勾配面が、筐体内部側に面する側に円弧面が、それぞれ形成されたことを特徴とする請求項１〜８のうちいずれか１つに記載のバッテリーケース。
【請求項１０】
前記蓋体を開閉するためのヒンジ部の回動部を回動自由に支持する回動支持部は、筐体の開放部外端に該筐体の外壁の一部を外側に膨出させて拡張形成した溝部内側に形成される支持溝部と、略筒状部材外面の爪部との間に形成される支持溝から構成されることを特徴とする請求項１〜９のうちいずれか１つに記載のバッテリーケース。
【請求項１１】
前記ヒンジ部の回動部は、前記支持溝内を軸方向にスライド自由に構成したことを特徴とする請求項１０記載のバッテリーケース。
【請求項１２】
前記筐体内周面と略筒状部材外周面に形成された浅い凹部内面との間には、短冊状の接続片が挟持固定され、該接続片の一端部は前記第１の正極接点部材に接続されると共に、他端部の端縁は筐体の開放端部の端縁から外方に露呈して、蓋体を閉じたときに、該蓋体内周面に装着された正極端子板の接触片部に電気的に接触することを特徴とする請求項１〜１１のうちいずれか１つに記載のバッテリーケース。
【発明の詳細な説明】
【０００１】
【発明の属する技術分野】
本発明は、内部に電池を収納し、この電池により電源が供給される機器本体部に装着されて使用されるバッテリーケースに関し、特に、バッテリーケースとしての製品の品質を向上する技術に関する。
【０００２】
【従来の技術】
従来、いわゆるポータブル型のテープレコーダ装置、ディスクプレーヤ装置、ビデオカメラ装置、或いは、ラジオ受信装置の如き、携帯用の記録再生装置又は音響再生装置として使用される電子機器が提案されている。
このような電子機器は、装置構成の小型化を図るため、駆動電源を供給する電池としても小型のものを用いるように構成されている。
小型の電池としては、例えば、小型の缶状に構成されたアルカリ電池やリチウム電池等のいわゆるボタン電池、又は、薄板状に形成されたいわゆるＮｉ−Ｃｄ電池の如き充電式の電池（二次電池）がある。
以上のような小型の電池は、上記電子機器の外筐体内に収納されて使用される。
【０００３】
ところで、上述のような小型の電池は、放電できる電気量が少ないため、長時間にわたって電子機器を連続的に使用する場合には、使用途中で電池交換を行う必要を生じさせ不便である。
このため、電子機器においては、電池を収納したバッテリケースを外筐体の外方側に着脱可能に取り付け得るようにしたものが提案されている。
このバッテリーケースは、いわゆる単３型や単２型の乾電池を収納する筐体部を有し、この筐体部の外周面部に、該乾電池の正負各極に対応して接続される一対の接点部を有している。
【０００４】
かかるバッテリーケースは、電子機器の外筐体に装着されることにより、各接点部を、電子機器の電源供給端子に接続させる。
即ち、電子機器は、各接点部を介して、乾電池より電源が供給される。この乾電池は、いわゆるアルカリ電池、マンガン電池の如き一次電池や、充電式の二次電池、或いは、積層電池等であって、上述した小型の電池よりも体積が大きいため、放電電気量を多くすることができ、電子機器は、乾電池より電源を供給されることによって、長時間にわたり連続して使用することができる。
【０００５】
以上のようなバッテリーケースとては、例えば、特開平８−１１１２１３号公報に開示されたものが知られている。
このバッテリーケースは、図１６及び図１７に示すように構成される。
即ち、バッテリーケースは、電池を収納する筐体部１を有している。この筐体部１は、下面部が蓋部２となっており、この蓋部２は、一側の図示しないヒンジ部を介して開閉可能となっており、開蓋されることによって、筐体部１内への電池の装着及び取り出しが行えるようになっている。
【０００６】
前記筐体部１内は、電池が収納される電池収納室３となっており、該電池収納室３には、電池の正極に接続される正極端子板４と、電池の負極に接続される負極端子バネ５とが、両端側に振り分けられて配設されている。
そして、筐体部１の外周部には、外方に臨まされた一対の接点部６，７が配設されている。これらの接点部６，７は、電池の正負各極に対応して接続されている。即ち、一方の接点部６は、筐体部１内において、正極端子板４に接続されている。又、他方の接点部７は、筐体部１内において、負極端子バネ５に接続されている。
【０００７】
【発明が解決しようとする課題】
しかしながら、このような従来のバッテリーケースにあっては、次のような問題点があった。
即ち、従来のバッテリーケースにおいては、電池を収納する筐体部１は、下面部が蓋部２となっており、この蓋部２は、一側のヒンジ部を介して開閉可能となっており、開蓋されることによって、筐体部１内への電池の装着及び取り出しが行えるようになっている。
【０００８】
しかし、このような電池の装着及び取り出し構造では、電池を横にし、かつ斜めにした状態で、先ず、電池の一端の負極を負極端子バネ５に押し当てて圧縮変形させ、この状態で、電池の他端を押し下げて、電池収納室３内に挿入し、他端の正極を正極端子板４に当接して、電池をセットする必要があり、電池のセットがワンタッチで行えず、電池のセット性が悪く、電池の取り出し性も悪い。
【０００９】
加えて、蓋部２は、筐体部１に対して、爪と溝等の係合で閉じ状態にロックする構成であるため、蓋部２を開き難く、爪と溝等の磨耗等によって、逆に蓋部２のロック状態が緩くなり、蓋部２が予期せずに簡単に開いて、電池が離脱するおそれもある。
又、電池のセット時に電池の方向が適正でなく、電池の一端の負極の負極端子バネ５への押し当て方が悪いと、該負極端子バネ５が変形し、その後の電池の端子への接触性に支障をきたし、接触不良を引き起こす。
【００１０】
更に、負極端子バネ５は電池の正極に、正極端子板１８は電池の負極にも接触可能であるため、電池の方向を誤って挿入した場合に逆接状態となるおそれがある。
更に、従来の正極端子板４は単なる板状に形成されているため、次の問題がある。
即ち、電子機器の振動等によって筐体部の内側にて電池が動き、負極端子バネ５の圧縮によって電池が一瞬ではあるが正極端子板４から離れるおそれがある。
【００１１】
一般に、電子機器がアナログ方式のものであれば上記のような電池の一瞬の非接触状態では何ら問題はない。
しかし、近年のＣＤ（コンパクトディスク）やＭＤ（ミニディスク）等のようにデジタル方式のディスクプレーヤ装置にあっては、上記のような電池の一瞬の非接触状態では大きな問題となり、音が飛ぶ等、音の再生に支障を来たす。
【００１２】
そこで、本発明は、上記のような課題を解決するためなされたものであり、バッテリーケースにおける蓋部の開閉構造、正負の端子の構造等の改良を行って、電池の着脱性の向上、電池の装着状態の安定化を図ると共に、接触不良防止、電池の逆方向挿入時の逆接の発生防止等を図って電気的接続の信頼性を高める等、製品としての信頼性を向上し得るバッテリーケースを提供することを目的とする。
【００１３】
【課題を解決するための手段】
このため、請求項１に係る発明は、一端が開放された筐体と該筐体の開放部を開閉する蓋体とからなり、電池を収納する電池収納室を内部に構成する開閉自由なケース本体と、前記筐体の内側に装着されて電池収納室内に収納された電池の正極に接続される正極端子板と、前記筐体の閉塞端部内側に装着されて電池の負極に接続される負極端子バネと、前記電池収納室内において、前記正極端子板及び負極端子バネにそれぞれ接続されて、前記ケース本体外面部から外方に臨まされる一対の接点部と、を含んで構成されるバッテリーケースであって、
前記蓋体は、内周面の周方向に沿った所定間隔毎の複数位置に係合突起部を有すると共に、前記正極端子板が固定された外蓋部と、該外蓋部の内側で前記正極端子板の固定位置下側にて所定角度範囲を回動自由となるように装着され、蓋体を開閉するためのヒンジ部の回動部が外周端に形成された内蓋部とから構成され、
前記筐体の開放部の外端には前記ヒンジ部の回動部を回動自由に支持する回動支持部が形成される一方、その内部には、その開放部から一部が外方に突出するように配設され、該突出部分の外周面の周方向に沿った所定間隔毎の複数位置に傾斜した溝部が形成される略筒状部材が装着され、
前記略筒状部材の溝部形成側端部は、その一部に切除部が形成されて、その径が収縮するべく弾性変形可能に構成されると共に、該略筒状部材の溝部は、略筒状部材の突出部分の先端部における始端部が開放され、一つの溝部の終端部の手前部分に凸部が形成された構成であって、始端部から挿入された前記外蓋部の各係合突起部が該外蓋部の回動によって各溝部の終端部までスライド移動し、一つの係合突起部が前記一つの溝部終端部の凸部を乗り越えることで、該凸部に係合して前記蓋体のロックを行う構成とされたことを特徴とする。
【００１４】
請求項２に係る発明は、前記外蓋部内端面には周方向に沿った所定間隔毎の複数位置に突起部を有し、内蓋部には周方向に沿った所定間隔毎の複数位置に前記突起部がスライド自由に挿入支持される円弧状の溝部が形成され、外蓋部の内側で内蓋部が所定角度範囲を回動自由となることを特徴とする。
【００１５】
請求項３に係る発明は、前記正極端子板は、前記内蓋部の溝部から突出する外蓋部の突起部が嵌め込まれる孔を有する略円形のベース部と、該ベース部から傾斜して立ち上げられて、電池の正極に接続される接続片部と、から構成されることを特徴とする。
【００１６】
請求項４に係る発明は、前記ベース部における接続片部の立ち上げ部の両側に切溝が形成されていることを特徴とする。
【００１７】
請求項５に係る発明は、前記接続片部には、両端部に該接続片部の係合部が形成され、中央部に陥凹部が形成された非導電性材料からなるアダプタが装着され、該アダプタの陥凹部から接続片部の電池の正極に接続される部分が露出することを特徴とする。
【００１８】
請求項６に係る発明は、前記外蓋部の係合突起部の先端部内側の面に勾配が設けられていることを特徴とする。
【００１９】
請求項７に係る発明は、前記正極端子板に接続される接点部は、一端部に正極端子板に接続される接続部を有し、筐体内側に該筐体内面に沿って配設され固定される略短冊状の第１の正極接点部材と、筐体の外面部に外方に拡張形成された収納溝に収納配置され、一端部が該第１の正極接点部材に接触され、他端部が前記収納溝から筐体外方に臨まされる第２の正極接点部材と、から構成される一方、
前記負極端子バネに接続される接点部は、一端部に負極端子バネに接続される接続部を有し、筐体内側に該筐体内面に沿って配設され固定される略短冊状の第１の負極接点部材と、前記収納溝に収納配置され、一端部が該第１の負極接点部材に接触され、他端部が前記収納溝から筐体外方に臨まされる第２の負極接点部材と、から構成されることを特徴とする。
【００２０】
請求項８に係る発明は、前記第２の正極接点部材と第２の負極接点部材は、それぞれ略Ｓ字形状に屈曲形成されてバネ性が付与された構成である。
【００２１】
請求項９に係る発明は、前記略筒状部材は、突出部分と反対側端部に筐体内部に該筐体の軸線方向に沿って延び、筐体内部の前記第１の正極接点部材と第２の負極接点部材をカバーするカバー部を有し、該カバー部の第１の正極接点部材と第２の負極接点部材に対面する面に勾配面が、筐体内部側に面する側に円弧面が、それぞれ形成されたことを特徴とする。
【００２２】
請求項１０に係る発明は、前記蓋体を開閉するためのヒンジ部の回動部を回動自由に支持する回動支持部は、筐体の開放部外端に該筐体の外壁の一部を外側に膨出させて拡張形成した溝部内側に形成される支持溝部と、略筒状部材外面の爪部との間に形成される支持溝から構成されることを特徴とする。
【００２３】
請求項１１に係る発明は、前記ヒンジ部の回動部は、前記支持溝内を軸方向にスライド自由に構成したことを特徴とする。
【００２４】
請求項１２に係る発明は、前記筐体内周面と略筒状部材外周面に形成された浅い凹部内面との間には、短冊状の接続片が挟持固定され、該接続片の一端部は前記第１の正極接点部材に接続されると共に、他端部の端縁は筐体の開放端部の端縁から外方に露呈して、蓋体を閉じたときに、該蓋体内端面に装着された正極端子板の接触片部に電気的に接触することを特徴とする。
【００２５】
かかる構成によれば、請求項１に係る発明では、蓋体を例えば上方から見て半時計方向に回動すると、蓋体が筐体から離脱し、該筐体の開放部が開かれる。
この状態で、電池を下側が負極となるようにして、筐体内部に落とし込んで収納させる。
【００２６】
次に、蓋体を筐体の開放端部に被せてから、上方から見て時計方向に回動すると、外蓋部の各係合突起部が筐体の開放部から外方に突出する略筒状部材の外周面の各溝部に挿入される。即ち、各溝部の始端部から挿入された外蓋部の各係合突起部が該外蓋部の回動によって各溝部の終端部までスライド移動する。この場合、一つの係合突起部がスライド移動により凸部を乗り越えようとする際に、略筒状部材の溝部形成側端部は、その径が収縮するように弾性変形して乗り越えを可能とし、乗り越えた後に、略筒状部材の溝部形成側端部の復元バネ力により元の径に復帰し、一つの係合突起部が溝部の終端部にて凸部に係合して前記蓋体のロックが行われる。
【００２７】
即ち、蓋体はねじ式に筐体側に嵌合され、ねじを緩める如く蓋体を回動することにより筐体から外れ（ヒンジ部にて繋がっているため分離するわけではない）、ねじを締める如く蓋体を回動することにより筐体に嵌合固定される。
このように蓋体を閉じた状態では、電池の負極が負極端子バネに圧接し、正極が正極端子板に圧接する。
【００２８】
請求項２に係る発明において、簡単な構成によって、外蓋部の内側で内蓋部が所定角度範囲をスムーズに回動するようになる。
【００２９】
請求項３に係る発明において、接続片部は、正極端子板のベース部から傾斜して立ち上げられており、バネ性が付与されているため、電池の正極に押されて圧縮変形し、このときのバネの反発力で該電池の正極に確実に圧接される。
【００３０】
請求項４に係る発明において、ベース部における接続片部の立ち上げ部の両側に切溝が形成されていることにより、接続片部のバネの反発力が強く、かつ、永年使用によってもこのバネのへたりが生じ難い等耐力性に優れ、接触不良を引き起こし難い。
【００３１】
請求項５に係る発明において、接続片部には中央部に陥凹部が形成された非導電性材料からなるアダプタが装着されることによって、接続片部の電池の正極と接触する部分は奥まったところにあり、電池の突出した正極は接触可能であるが、面である負極は接触不可能である。
このことは、電池の正負を逆にして筐体内に電池を誤挿入した場合であっても、電池の負極が接続片部とは接触状態とならず、逆接防止の利点を生む。
【００３２】
請求項６に係る発明において、外蓋部の係合突起部の先端部内側の面に勾配が設けられていることによって、係合突起部が凸部を乗り越え易く、また、係合突起部が凸部を乗り越えてこれと係合した状態である蓋体ロック時は、この係合が外れ難いという利点がある。
【００３３】
請求項７に係る発明において、正極端子板に接続される接点部を、略短冊状の第１の正極接点部材と、第２の正極接点部材と、から構成し、負極端子バネに接続される接点部を、略短冊状の第１の負極接点部材と、第２の負極接点部材と、から構成するようにしたから、各接点部の筐体内におけるレイアウトが容易となり、筐体内に狭いスペースに接点部を効果的に配設することができる。
【００３４】
請求項８に係る発明において、第２の正極接点部材と第２の負極接点部材を、それぞれ略Ｓ字形状に屈曲形成してバネ性を付与した構成としたから、第１の正極接点部材と第２の正極接点部材、第１の負極接点部材と第１の負極接点部材との接触性がそれぞれ良好に保たれ、第２の正極接点部材と第２の負極接点部材のへたり等も生じ難い等耐力性にも優れ、電気的接触性を常時確実に維持できると共に、バネ性を付与するため、単純に略Ｌ字形状に折曲した場合と比較して、第２の正極接点部材と第２の負極接点部材との間隔を狭くすることができ、第２の正極接点部材と第２の負極接点部材の筐体における収納溝内におけるレイアウトが容易となり、収納溝内の狭いスペースに第２の正極接点部材と第２の負極接点部材を効果的に配設することができる。
【００３５】
請求項９に係る発明において、カバー部によって、第１の正極接点部材と第１の負極接点部材と電池との絶縁性を確保でき、電気的ショートの発生を確実に防止することができ、筐体内部に配設された略筒状部材のカバー部の内面が円弧面に形成されていることによって、電池の筐体内における移動がスムーズになると共に、電池の収納状態では、電池が前記カバー部の円弧面に抑えられ、電池が確実に保持される。
【００３６】
請求項１０に係る発明において、蓋体を開閉するためのヒンジ部の回動部を回動自由に支持する回動支持部を、筐体の開放部外端に該筐体の外壁の一部を外側に膨出させて拡張形成した溝部内側に形成される支持溝部と、略筒状部材外面の爪部との間に形成される支持溝から構成したので、回動支持部の強度を高めることができる。
【００３７】
請求項１１に係る発明において、ヒンジ部の回動部を、前記支持溝内を軸方向にスライド自由に構成したので、蓋体の開閉動作をスムーズに行うことができる。
【００３８】
請求項１２に係る発明において、筐体内周面と略筒状部材外周面に形成された浅い凹部内面との間には、短冊状の接続片が挟持固定され、該接続片の一端部は前記第１の正極接点部材に接続されると共に、他端部の端縁は筐体の開放端部の端縁から外方に露呈して、蓋体を閉じたときに、該蓋体内端面に装着された正極端子板の接触片部に電気的に接触するように構成したので、電気的接続を確実に行うことができる。
【００３９】
【発明の実施の形態】
以下、添付された図面を参照して本発明の実施の形態を詳述する。
先ず、図１〜図６に基づいてバッテリーケースの全体構造の概略について説明する。
即ち、バッテリーケース１０は、一端が開放された筐体１１と該筐体１１の開放部を開閉する蓋体１２とからなり、電池１３を収納する電池収納室１４を内部に構成する開閉自由なケース本体１５と、前記蓋体１２の内側に装着されて電池収納室１４内に収納された電池１３の正極に接続される正極端子板１６と、前記筐体１１の閉塞端部内側に装着されて電池の負極に接続される負極端子バネ１７と、前記電池収納室１４内において、前記正極端子板１６及び負極端子バネ１７にそれぞれ接続されて、前記ケース本体１５外面部から外方に臨まされる一対の接点部１８，１９と、を含んで構成される。
【００４０】
前記ケース本体１５は、合成樹脂材料により、いわゆるアルカリ電池、マンガン電池の如き一次電池や、充電式の二次電池、或いは、積層電池で単３型電池に略対応した大きさの略筒状に形成される。
前記蓋体１２は、図７に示す外蓋部２０と図８に示す内蓋部２１とから構成される。
そして、外蓋部２０は、短い軸方向長さの円筒形状に形成されており、その内端面の中心部に回転支軸部２２が突出形成されると共に、周方向に沿った所定間隔毎の複数位置（本実施形態では３つの位置）にそれぞれ突起部２３が形成されている。
【００４１】
又、外蓋部２０の内周面の周方向に沿った所定間隔毎の複数位置（本実施形態では３つの位置）にそれぞれ係合突起部２７が形成されている。
尚、この係合突起部２７の先端部内側の面に勾配面２７ａが設けられている。かかる外蓋部２０には、前記正極端子板１６が固定される。これについては後に詳述する。
【００４２】
内蓋部２１は、器状に形成された薄板からなり、前記外蓋部２０の内側で後述する正極端子板固定位置の下側にて所定角度範囲を回動自由となるように装着されており、蓋体１２を開閉するためのヒンジ部の回動部が外周端に形成される。この回動部は、支持片部２４と該支持片部２４の両側から突出する支軸部２５とから構成される。
【００４３】
又、内蓋部２１には、その内端面の中心部に、外蓋部２０の回転支軸部２２が貫通支持される回転支持穴２８が形成されると共に、周方向に沿った所定間隔毎の複数位置（本実施形態では３つの位置）に外蓋部２０の突起部２３がスライド自由に挿入支持される円弧状の溝部２６が形成され、回転支軸部２２の回転支持穴２８への貫通支持と、突起部２３の溝部２６への挿入とによって、外蓋部２０の内側で内蓋部２１が所定角度範囲を回動自由となる。
【００４４】
前記正極端子板１６は、図９に示すように、前記内蓋部２１の回転支持穴２８から突出する外蓋部２０の回転支軸部２２が貫通される孔２９と溝部２６から突出する外蓋部２０の突起部２３が嵌め込まれる孔３０を有する略円形のベース部３１と、該ベース部３１から傾斜して立ち上げられて、電池１３の正極に接続される接続片部３２と、ベース部３１から若干立ち上げられて、後述する第１の正極接点部材の接続片と接触する接触片部３３と、から構成されている。
【００４５】
この場合、前記ベース部３１における接続片部３２の立ち上げ部の両側に切溝３４が形成されている。
又、前記接触片部３３はベース部３１に形成された切溝３５を介して立ち上げられ、その先端部は若干湾曲形成されて接触性を良好とするようになっている。
更に、前記接続片部３２には、両端部に該接続片部３２の係合部３６が形成され、中央部に陥凹部３７が形成された非導電性材料からなるアダプタ３８（図１０参照）が装着され、該アダプタ３８の陥凹部３７から接続片部３２の電池の正極に接続される部分が露出するようになっている。
【００４６】
一方、筐体１１は、一端部が開放された円筒状に形成されており、２つの略半円筒状の分割体１１Ａ，１１Ｂを結合することによって組み立てられる。
筐体１１の閉塞された底部には仕切板３９によって仕切り形成された空間部４０が形成され、この空間部４０には、ピーク的な電流の発生を抑制するためのコンデンサ及び抵抗等の回路部４０Ａが設けられている。
そして、前記負極端子バネ１７は、前記の仕切板３９の空間部４０と反対側の面に装着されている。
【００４７】
かかる筐体１１の開放部の外端には前記ヒンジ部の回動部を回動自由に支持する回動支持部が形成される。この回動支持部は、筐体１１の開放部外端に該筐体１１の外壁の一部を外側に膨出させて拡張形成した溝部４１内側に形成される支持溝部４２と図１１に示す後述の略筒状部材４３外面の爪部４４との間に形成される支持溝４５から構成され、この溝部４１に前記ヒンジ部の回動部の支持片部２４が挿入され、支持溝４５に前記支軸部２５が回転自由に支持される（図１２参照）。
【００４８】
この場合、回動支持部を構成する溝部４１を、筐体１１の開放部外端に該筐体１１の外壁の一部を外側に膨出させて拡張形成したことにより、該回動支持部の強度を高めることができる。
又、前記支持溝４５は筐体１１の軸方向に長く形成され、支軸部２５が上下にスライドできるようになっており、蓋体１２のヒンジ部における上下動が可能で、該蓋体１２のヒンジ部を介した回動がスムーズに行えるようになっている。
【００４９】
かかる筐体１１の内部には、その開放部から一部が外方に突出するように配設され、該突出部分の外周面の周方向に沿った所定間隔毎の複数位置（本実施形態では３つの位置）に傾斜して形成される溝部４６が形成される略筒状部材４３が装着されている（図１１参照）。
この場合、略筒状部材４３の内端部の両側位置に、それぞれ係合孔４７が形成された一対の係合片部４８が一体成形されており、一方の係合片部４８の係合孔４７が筐体１１を構成する一方の分割体１１Ａ内周面に形成された係合突起部（図示せず）に、他方の係合片部４８の係合孔４７が他方の分割体１１Ｂ内周面に形成された係合突起部（図示せず）に係合することによって、略筒状部材４３が筐体１１内側に装着される。
【００５０】
この場合、略筒状部材４３が、両分割体１１Ａ，１１Ｂを結合する役割を奏し、両分割体１１Ａ，１１Ｂの結合強度を高めることができ、筐体１１の強度向上を図れる。前記各溝部４６は、略筒状部材４３の突出部分の先端部における始端部が開放され、終端部が閉塞されると共に、略筒状部材４３の突出部分が上方に、底部が下方となるように垂直に置いたときに、該始端部が高位、終端部が低位となるように傾斜して形成されている。そして、各溝部４６の始端部から挿入された前記外蓋部２０の各係合突起部２７が該外蓋部２０の回動によってスライド移動して終端部に到るようになっている。ここで、一つの溝部４６の終端部の手前部分には、図１３に示すように、傾斜した凸部４９が形成されており、外蓋部２０の一つの係合突起部２７がこの凸部４９を乗り越えることで、溝部４６の終端部にて凸部４９に係合し、蓋体１２のロックを行うようになっている。
【００５１】
この場合、略筒状部材４３の溝部４６形成側端部の一部は図１１（Ｂ）に示すように切除部５０となっており、該略筒状部材４３の溝部４６形成側端部はその径が収縮するように弾性変形可能で、この弾性変形時の復元バネ力が働く構成となっているため、上記のように、一つの係合突起部２７が一つの凸部４９を乗り越えようとする際には、略筒状部材４３の溝部４６形成側端部はその径が収縮するように弾性変形して、この乗り越えを可能とし、乗り越えた後は、復元バネ力で元の径に復帰して、一つの係合突起部２７が溝部４６の終端部にて凸部４９に係合するようになっている。
【００５２】
一方、図１４に示すように、正極端子板１６に接続される接点部１８は、一端部に正極端子板１６に接続される接続部を有し、筐体１１内側に該筐体１１内面に沿って配設され固定される略短冊状の第１の正極接点部材５１と、筐体１１の外面部に外方に拡張形成された収納溝５２に収納配置され、一端部が該第１の正極接点部材５１に接触され、他端部が前記収納溝５２から筐体１１に形成された孔５３を介して筐体１１外方に臨まされる第２の正極接点部材５４と、から構成される。
【００５３】
この場合、前記第１の正極接点部材５１の接続部は、別体の短冊状の接続片５５から構成されている。
この接続片５５は、筐体１１内周面と略筒状部材４３外周面に形成された浅い凹部内面との間に挟持固定され、この状態で一端部の端縁が筐体１１の開放端部の端縁から外方に露呈して、蓋体１２を閉じたときに、該蓋体１２内端面に装着された正極端子板１６の接触片部３３に電気的に接触するようになっている。
【００５４】
又、前記負極端子バネ１７に接続される接点部は、一端部に負極端子バネ１７に接続される接続部を有し、筐体１１内側に該筐体１１内面に沿って配設され固定される略短冊状の第１の負極接点部材５６と、前記収納溝５２に収納配置され、一端部が該第１の負極接点部材５６に接触され、他端部が前記収納溝５２から筐体１１に形成された孔５７を介して筐体１１外方に臨まされる第２の負極接点部材５８と、から構成される。
【００５５】
この場合、前記第２の正極接点部材５４と第２の負極接点部材５８は、それぞれ図１５に示すように略Ｓ字形状に屈曲形成されてバネ性が付与されている。
又、前記略筒状部材４３は、図１１に示すように、筐体１１からの突出部分と反対側端部に筐体１１内部に該筐体１１の軸線方向に沿って延び、筐体１１内部の前記第１の正極接点部材５１と第１の負極接点部材５６をカバーするカバー部５９を有しており、このカバー部５９の内面には円弧面５９ａが形成され、第１の正極接点部材５１と第１の負極接点部材５６に対面する面に勾配面５９ｂが形成されている。
【００５６】
尚、筐体１１の収納溝５２には、回転体６０によって回転されるネジ６１が外方に突出して設けられており、このネジ６１によってバッテリーケース１０を電子機器に着脱できるようになっており、バッテリーケース１０の電子機器への装着時には、前記孔５３を介して筐体１１外方に臨まされる第２の正極接点部材５４の端部と第２の負極接点部材５８の端部がそれぞれ電子機器側の電源供給端子に接続される。
【００５７】
かかる構成のバッテリーケース１０において、先ず蓋体１２を上方から見て半時計方向に回動すると、蓋体１２が筐体１１から離脱し、該筐体１１の開放部が開かれる。
この状態で、電池１３を下側が負極となるようにして、筐体１１内部に落とし込んで収納させる。
【００５８】
次に、蓋体１２を筐体１１の開放端部に被せてから、上方から見て時計方向に回動すると、外蓋部２０の各係合突起部２７が筐体１１の開放部から外方に突出する略筒状部材４３の外周面の各溝部４６に挿入される。即ち、各溝部４６の始端部から挿入された外蓋部２０の各係合突起部２７が該外蓋部２０の回動によって各溝部４６の終端部までスライド移動する。この場合、一つの係合突起部２７がスライド移動により凸部４９を乗り越えようとする際に、略筒状部材４３の溝部４６形成側端部は、その径が収縮するように弾性変形して乗り越えを可能とし、乗り越えた後に、略筒状部材４３の溝部４６形成側端部の復元バネ力により元の径に復帰し、一つの係合突起部２７が溝部４６の終端部にて凸部４９に係合して前記蓋体１２のロックが行われる。
即ち、蓋体１２はねじ式に筐体１２側に嵌合され、ねじを緩める如く蓋体１２を回動することにより筐体１１から外れ（ヒンジ部にて繋がっているため分離するわけではない）、ねじを締める如く蓋体１２を回動することにより筐体１１に嵌合固定（ロック）される。
【００５９】
このように蓋体１２を閉じた状態では、電池１３の負極が負極端子バネ１７に圧接し、正極が正極端子板１６の接続片部３２に圧接する。
この場合、接続片部３２は、正極端子板１６のベース部３１から傾斜して立ち上げられており、バネ性が付与されているため、電池１３の正極に押されて圧縮変形し、このときのバネの反発力で該電池１３の正極に確実に圧接される。
【００６０】
以上説明したバッテリーケース１０によれば、次のような利点がある。
バッテリーケース１０の筐体１１内部への電池１３の出し入れを、筐体１１の軸方向の端部の開放部から行うようにしたから、電池１３を筐体１１内部に落とし込むことにより、電池１３の収納が容易に行え、取り出しも、筐体１１の開放部を下側にすることによって、容易に行うことができる。
この場合、筐体１１内部に配設された略筒状部材４３のカバー部５９の内面が円弧面５９ａに形成されていることによって、電池１３の筐体１１内における移動がスムーズになると共に、電池１３の収納状態では、電池１３が前記カバー部５９の円弧面５９ａに抑えられ、電池１３が確実に保持される。
【００６１】
即ち、従来のバッテリーケースのように電池を横にし、かつ斜めにした状態で、先ず、電池の一端の負極を負極端子バネに押し当てて圧縮変形させ、この状態で、電池の他端を押し下げて、筐体部内に挿入し、他端の正極を正極端子板に当接して、電池をセットする必要がなく、電池１３のセットがワンタッチで行え、電池１３のセット性に優れ、電池１３の取り出し性、保持性も良好となる。
【００６２】
加えて、蓋体１２をねじ式で筐体１１の開放部に装着・離脱させる構成としたから、蓋体１２を開き易く、蓋体１２をねじ式に筐体１２側に嵌合した際には、外蓋部２０の一つの係合突起部２７が溝部４６の終端部にて凸部４９に係合して蓋体１２のロックを行うようにしたから、ロック状態が確実であり、蓋体１２が予期せずに簡単に開くようなことがなく、電池１３が離脱するおそれがない。
【００６３】
この蓋体１２をねじ式で筐体１１の開放部に装着・離脱させる構成において、特に、外蓋部２０の係合突起部２７の先端部内側の面に勾配面２７ａを設けるようにしたため、係合突起部２７が凸部４９を乗り越え易く、また、係合突起部２７が凸部４９を乗り越えてこれと係合した状態である蓋体１２ロック時は、この係合が外れ難いという利点がある。
【００６４】
尚、蓋体をねじ式で筐体の開放部に装着・離脱させる構成とした場合、蓋体を筐体の開放部から開いた場合、蓋体が筐体から離脱するのが一般的である。
しかし、このように、蓋体が筐体から離脱したのでは、蓋体の紛失等が生じ、非常に思わしくない。
【００６５】
本発明は、これを克服するため、蓋体１２を正極端子板１６が固定された外蓋部２０と、該外蓋部２０の内側で前記正極端子板１６の固定位置下側にて所定角度範囲を回動自由となるように装着され、蓋体１２を開閉するためのヒンジ部の回動部が外周端に形成された内蓋部２１とから構成することによって、蓋体１２を筐体１１とヒンジ結合しつつ、ねじ式による着脱動作、即ち、蓋体１２の回動を可能にすることができたのである。
【００６６】
又、電池１３のセット時に電池１３の挿入位置が常に適正となるため、正極端子板１６及び負極端子バネ１７が変形するおそれもなく、電池１３の端子への接触性に支障をきたさず、接触不良を引き起こすことがない。
特に、接続片部３２は、正極端子板１６のベース部３１から傾斜して立ち上げられており、バネ性が付与されているため、電池１３の正極に押されて圧縮変形し、このときのバネの反発力で該電池１３の正極に確実に圧接される。
【００６７】
又、ベース部３１における接続片部３２の立ち上げ部の両側に切溝３４が形成されているため、上記のバネの反発力が強く、かつ、永年使用によってもこのバネのへたりが生じ難い等耐力性に優れ、接触不良を引き起こし難い。
更に、接続片部３２には、非導電性材料からなるアダプタ３８が装着され、接続片部３２のアダプタ３８の陥凹部３７から露呈する部分が電池１３の正極に接触する。
即ち、接続片部３２の電池１３の正極と接触する部分は奥まったところにあり、電池１３の突出した正極は接触可能であるが、面である負極は接触不可能である。
【００６８】
このことは、電池１３の正負を逆にして筐体１１内に電池を誤挿入した場合であっても、電池１３の負極が接続片部３２とは接触状態とならず、逆接防止の利点を生む。
更に、上記のように、正極端子板１６の接続片部３２と電池１３の正極との接触が確実に行われる結果、電子機器の振動等によって筐体１１の内側にて電池１３が動いた場合であっても、電池１３が一瞬たりとも、正極端子板１６及び負極端子バネ１７から離れるおそれがなく、特に、近年のＣＤ（コンパクトディスク）やＭＤ（ミニディスク）等のようにデジタル方式のディスクプレーヤ装置にあっては、電池１３の一瞬の非接触状態がなくなる結果、音が飛ぶ等、音の再生に支障をきたさず、常に的確な再生状態を得られる。
【００６９】
更に、上記の実施形態によると、次のような利点を有する。
即ち、正極端子板１６に接続される接点部１８を、略短冊状の第１の正極接点部材５１と、第２の正極接点部材５４と、から構成し、負極端子バネ１７に接続される接点部を、略短冊状の第１の負極接点部材５６と、第２の負極接点部材５８と、から構成するようにしたから、各接点部の筐体１１内におけるレイアウトが容易となり、筐体１１内に狭いスペースに接点部を効果的に配設することができる。
【００７０】
特に、第２の正極接点部材５４と第２の負極接点部材５８を、それぞれ略Ｓ字形状に屈曲形成してバネ性を付与した構成としたから、第１の正極接点部材５１と第２の正極接点部材５４、第１の負極接点部材５６と第１の負極接点部材５８との接触性がそれぞれ良好に保たれ、第２の正極接点部材５４と第２の負極接点部材５８のへたり等も生じ難い等耐力性にも優れ、電気的接触性を常時確実に維持できると共に、バネ性を付与するため、単純に略Ｌ字形状に折曲した場合と比較して、第２の正極接点部材５４と第２の負極接点部材５８との間隔を狭くすることができ、第２の正極接点部材５４と第２の負極接点部材５８の筐体１１における収納溝５２内におけるレイアウトが容易となり、収納溝５２内の狭いスペースに第２の正極接点部材５４と第２の負極接点部材５８を効果的に配設することができる。
【００７１】
又、略筒状部材４３は、突出部分と反対側端部に筐体１１内部に該筐体１１の軸線方向に沿って延び、筐体１１内部の前記第１の正極接点部材５１と第１の負極接点部材５６をカバーするカバー部５９を設けるようにしたから、第１の正極接点部材５１と第１の負極接点部材５６と電池１３との絶縁性を確保でき、電気的ショートの発生を確実に防止することができる。
【００７２】
特に、カバー部４９の第１の正極接点部材５１と第１の負極接点部材５６に対面する面に勾配面５９ｂを形成するようにしたから、該カバー部４９を第１の正極接点部材５１と第１の負極接点部材５６に近接して配しても、勾配面５９ｂ形成部がこれらの接点部材５１，５６の逃げ部となり、筐体１１内の狭いスペース内に第１の正極接点部材５１と第１の負極接点部材５６とカバー部４９とを共に効果的に配設することができる。
【００７３】
【発明の効果】
以上説明したように、請求項１に係る発明によれば、バッテリーケースにおける蓋部の開閉構造、正負の端子の構造等の改良を行って、電池の着脱性の向上、電池の装着状態の安定化を図ると共に、接触不良防止、電池の逆方向挿入時の逆接の発生防止等を図って電気的接続の信頼性を高める等、製品としての信頼性を向上し得るバッテリーケースを提供することができる。
【００７４】
請求項２に係る発明によれば、外蓋部内端面には、周方向に沿った所定間隔毎の複数位置に突起部を有し、内蓋部には周方向に沿った所定間隔毎の複数位置に前記突起部がスライド自由に挿入支持される円弧状の溝部が形成され、外蓋部の内側で内蓋部が所定角度範囲を回動自由となるように構成したので、簡単な構成によって、外蓋部の内側で内蓋部を所定角度範囲をスムーズに回動させることができ、蓋体の回動動作を確実かつ容易に行うことができる。
【００７５】
請求項３に係る発明によれば、正極端子板を、内蓋部の溝部から突出する外蓋部の突起部が嵌め込まれる孔を有する略円形のベース部と、該ベース部から傾斜して立ち上げられて、電池の正極に接続される接続片部と、から構成したので、正極端子板と電池の正極との接触性を確実に維持することができる。
【００７６】
請求項４に係る発明によれば、ベース部における接続片部の立ち上げ部の両側に切溝を形成するように構成したので、接続片部のバネの反発力を強くでき、かつ、永年使用によってもこのバネのへたりが生じ難い等耐力性に優れ、接触不良を引き起こし難いという利点がある。
【００７７】
請求項５に係る発明によれば、接続片部には、両端部に該接続片部の係合部が形成され、中央部に陥凹部が形成された非導電性材料からなるアダプタが装着され、該アダプタの陥凹部から接続片部の電池の正極に接続される部分が露出する構成としたので、池の正負を逆にして筐体内に電池を誤挿入した場合であっても、逆接のおそれがない。
【００７８】
請求項６に係る発明によれば、外蓋部の係合突起部の先端部内側の面に勾配を設けるように構成したので、外蓋部の係合突起部と略筒状部材側の溝部の凸部の係合を確実かつスムーズに行うことができる。
【００７９】
請求項７に係る発明によれば、正極端子板に接続される接点部を、一端部に正極端子板に接続される接続部を有し、筐体内側に該筐体内面に沿って配設され固定される略短冊状の第１の正極接点部材と、筐体の外面部に外方に拡張形成された収納溝に収納配置され、一端部が該第１の正極接点部材に接触され、他端部が前記収納溝から筐体外方に臨まされる第２の正極接点部材と、から構成される一方、負極端子バネに接続される接点部を、一端部に負極端子バネに接続される接続部を有し、筐体内側に該筐体内面に沿って配設され固定される略短冊状の第１の負極接点部材と、前記収納溝に収納配置され、一端部が該第１の負極接点部材に接触され、他端部が前記収納溝から筐体外方に臨まされる第２の負極接点部材と、から構成されるように構成したので、各接点部の筐体内におけるレイアウトが容易となり、筐体内に狭いスペースに接点部を効果的に配設することができる。
【００８０】
請求項８に係る発明によれば、第２の正極接点部材と第２の負極接点部材を、それぞれ略Ｓ字形状に屈曲形成されてバネ性が付与された構成としたので、第１の正極接点部材と第２の正極接点部材、第１の負極接点部材と第１の負極接点部材との接触性がそれぞれ良好に保たれ、第２の正極接点部材と第２の負極接点部材のへたり等も生じ難い等耐力性にも優れ、電気的接触性を常時確実に維持できると共に、第２の正極接点部材と第２の負極接点部材の筐体における収納溝内におけるレイアウトが容易となり、収納溝内の狭いスペースに第２の正極接点部材と第２の負極接点部材を効果的に配設することができる。
【００８１】
請求項９に係る発明によれば、略筒状部材を、突出部分と反対側端部に筐体内部に該筐体の軸線方向に沿って延び、筐体内部の第１の正極接点部材と第２の負極接点部材をカバーするカバー部を有し、該カバー部の第１の正極接点部材と第２の負極接点部材に対面する面に勾配面が、筐体内部側に面する側に円弧面を、それぞれ形成するように構成したので、第１の正極接点部材と第１の負極接点部材と電池との絶縁性を確保でき、電気的ショートの発生を確実に防止することができ、電池の筐体内における移動がスムーズになると共に、電池の保持を確実に行うことができる。
【００８２】
請求項１０に係る発明によれば、回動支持部を、筐体の開放部外端に該筐体の外壁の一部を外側に膨出させて拡張形成した溝部内側に形成される支持溝部と、略筒状部材外面の爪部との間に形成される支持溝から構成したので、回動支持部の強度を高めることができる。
【００８３】
請求項１１に係る発明によれば、蓋体ヒンジ部の回動部を、前記支持溝内を軸方向にスライド自由に構成したので、蓋体の開閉動作をスムーズに行うことができる。
【００８４】
請求項１２に係る発明によれば、筐体内周面と略筒状部材外周面に形成された浅い凹部内面との間には、短冊状の接続片が挟持固定され、該接続片の一端部は前記第１の正極接点部材に接続されると共に、他端部の端縁は筐体の開放端部の端縁から外方に露呈して、蓋体を閉じたときに、該蓋体内端面に装着された正極端子板の接触片部に電気的に接触するように構成したので、電気的接続を確実に行うことができる。
【００８５】
【図面の簡単な説明】
【図１】  本発明に係るバッテリーケースの一実施形態を示す図で、（Ａ）はバッテリーケースの正面図、（Ｂ）はその左側面図、
【図２】  同じく、（Ａ）は右側面図、（Ｂ）は平面図
【図３】  同上のバッテリーケースの筐体を示す図で、（Ａ）は背面図、（Ｂ）はその右側面図
【図４】  蓋体を外した状態を示す底面図
【図５】  筐体内部を示す平面断面図
【図６】  蓋体側の構造を示す図で、（Ａ）は平面図、（Ｂ）はその右側面図
【図７】  外蓋部の構造を示す図で、（Ａ）は平面図、（Ｂ）はその右側面図、（Ｃ）は（Ａ）中Ａ−Ａ矢示断面図
【図８】  内蓋部の構造を示す図で、（Ａ）は平面図、（Ｂ）はその右側面図
【図９】  正極端子板の構造を示す図で、（Ａ）は背面図、（Ｂ）はその右側面図
【図１０】  アダプタの構造を示す図で、（Ａ）は正面図、（Ｂ）はその左側面図
【図１１】略筒状部材の構造を示す図で、（Ａ）は正面図、（Ｂ）はその一部断  右側面図、（示す）は底面図
【図１２】蓋体のヒンジ部の構造を示す縦断面図
【図１３】略筒状部材の溝部の構造を示す図で、（Ａ）は正面図、（Ｂ）は（Ａ）中Ｂ−Ｂ矢示断面図
【図１４】筐体内部の詳細を示す縦断面図
【図１５】（Ａ）は第２の正極接点部材の構成を示す正面図、（Ｂ）は第２の負極接点部材の構成を示す正面図
【図１６】従来のバッテリーケースの構成を透視して示す平面図
【図１７】同上のバッテリーケースの構成を透視して示す正面図
【符号の説明】
１０  バッテリーケース
１１  筐体
１２  蓋体
１３  電池
１４  電池収納室
１５  ケース本体
１６  正極端子板
１７  負極端子バネ
１８，１９  接点部
２０  外蓋部
２１  内蓋部
２３  突起部
２４  支持片部
２５  支軸部
２６  溝部
２７  係合突起部
２８  回転支持穴
３２  接続片部
３３  接触片部
３８  アダプタ
４３  略筒状部材
５１  第１の正極接点部材
５２  収納溝
５４  第２の正極接点部材
５５  接続片
５６  第１の負極接点部材
５８  第２の負極接点部材
５９  カバー部
【図１】
0004234811.tif 000002
【図２】
0004234811.tif 000003
【図３】
0004234811.tif 000004
【図４】
0004234811.tif 000005
【図５】
0004234811.tif 000006
【図６】
0004234811.tif 000007
【図７】
0004234811.tif 000008
【図８】
0004234811.tif 000009
【図９】
0004234811.tif 000010
【図１０】
0004234811.tif 000011
【図１１】
0004234811.tif 000012
【図１２】
0004234811.tif 000013
【図１３】
0004234811.tif 000014
【図１４】
0004234811.tif 000015
【図１５】
0004234811.tif 000016
【図１６】
0004234811.tif 000017
【図１７】
0004234811.tif 000018